(57)【要約】【課題】  受け金具の位置決め作業が簡単な棒状建材の設置構造を提供する。【解決手段】  受け金具８は、水平片９と、該水平片９から起立する１対の起立片１０とを有し、該水平片９の中央に円形孔１１が設けられている。円形孔１１に支柱４が挿通されている。棒状建材１の貫通孔５Ａ，５Ｂに挿通されたフラットバー６の両端が、それぞれ、起立片１０の内側面に垂下片７が沿うように受け金具８に係止され、上方から押え金具１３によって押え付けられる。支柱４は、最下段の受け金具８から最上段の受け金具８までを連続して貫通するように、各受け金具８の円形孔１１に挿通されている。上下に並んだ受け金具８，８同士の間には、それぞれスペーサ２０が配置されている。スペーサ２０は、円筒形の鞘状部材であり、その内孔に支柱４が挿通されている。【選択図】  図５
2005054413.tif 000002
【特許請求の範囲】
【請求項１】
長手方向に貫通した貫通孔を有する中空棒状建材が方立に対し略水平に且つ上下多段に取り付けられた棒状建材の設置構造であって、
該棒状建材の貫通孔内に金属棒状体が挿通されており、
該金属棒状体の端部を支持する受け金具が前記方立に対し上下多段に配置されており、
該金属棒状体の両端がそれぞれ該受け金具を介して方立に取り付けられている棒状建材の設置構造において、
該方立は上下方向に延在する棒状のものであり、
前記受け金具には、それぞれ、該方立が挿通される孔が設けられており、
最下段の受け金具から最上段の受け金具まで連続して、該方立が各受け金具の該孔に挿通されており、
各受け金具同士の間にはそれぞれ受け金具の位置決め用のスペーサが介在していることを特徴とする棒状建材の設置構造。
【請求項２】
長手方向に貫通した貫通孔を有する中空棒状建材が方立に対し上下方向に延在するように且つ左右多列に取り付けられた棒状建材の設置構造であって、
該棒状建材の貫通孔内に金属棒状体が挿通されており、
該金属棒状体の端部を支持する受け金具が前記方立に対し左右多列に配置されており、
該金属棒状体の両端がそれぞれ該受け金具を介して方立に取り付けられている棒状建材の設置構造において、
該方立は左右方向に延在する棒状のものであり、
前記受け金具には、それぞれ、該方立が挿通される孔が設けられており、
一端側の受け金具から他端側の受け金具まで連続して、該方立が各受け金具の該孔に挿通されており、
各受け金具同士の間にはそれぞれ受け金具の位置決め用のスペーサが介在していることを特徴とする棒状建材の設置構造。
【請求項３】
請求項１又は２において、該スペーサは筒形であり、各スペーサに前記方立が挿通されていることを特徴とする棒状建材の設置構造。
【発明の詳細な説明】
【技術分野】
【０００１】
本発明は、セラミック等よりなる中空棒状建材を横引きに設置した構造に関するものである。詳しくは、例えば窓の外面に沿って水平ブラインド（日除け）や水平な面格子を設けたり、あるいは校倉造り調の壁面を構築する場合に好適な棒状建材の設置構造に関する。
【背景技術】
【０００２】
従来、窓の日除けのためには布製のカーテンやプラスチック製のブラインド、竹製のすだれ等が用いられているが、いずれも長期の耐久性に乏しく、数年ないし１０年程度しか使うことができず、また、屋外に使用することもできない。
【０００３】
また、従来、窓の面格子にはアルミ等の金属材や、木材が用いられているが、タイル張り壁面にあっては格子とタイルとの材質上の違和感があり、意匠性に劣ることがあった。
【０００４】
そこで、この日除けや面格子を耐久性が良く、またタイルと材質感をマッチさせることも可能なセラミック製とすることが考えられる。しかし、セラミックは割れる可能性のある材料であるため、セラミック製棒状建材を水平に設置した場合、折れて落下するおそれがある。
【０００５】
そこで、セラミック製棒状建材を中空とし、その貫通孔内に金属棒状体（バー）を挿通することが考えられる。このようにすれば、セラミック棒状建材の折損落下を防止することができる。
【０００６】
このような中空棒状建材の設置構造が例えば特開２００２−１８０６２６号公報に開示されている。同号公報の棒状建材の設置構造においては、棒状建材の貫通孔に金属棒状体を挿通し、この金属棒状体の両端をそれぞれ受け金具を介して方立に取り付ける。同号公報の棒状建材の設置構造では、長さの短い棒状の短ロッド部材を複数本、それぞれ受け金具を介して連結することにより、複数個の受け金具が上下に多段に配置された方立が構成されている。
【０００７】
詳しくは、各受け金具の上面及び下面にはそれぞれ雌ねじ部が設けられており、各短ロッド部材の両端部には、それぞれ、この雌ねじ部に螺合する雄ねじ部が設けられている。方立を構成するに当っては、各受け金具同士の間に短ロッド部材をそれぞれ配置し、各短ロッド部材の両端部をそれぞれ上段側の受け金具の下面の雌ねじ部及び下段側の受け金具の上面の雌ねじ部に螺じ込む。そして、この雌ねじ部への短ロッド部材の端部の螺じ込み分量を調整することにより、各受け金具の位置決め（各受け金具同士の間隔の調整や、隣り合う方立の受け金具同士の高さ揃え）を行う。
【特許文献１】特開２００２−１８０６２６号公報
【発明の開示】
【発明が解決しようとする課題】
【０００８】
しかしながら、同号公報の棒状建材の設置構造にあっては、各受け金具の位置決めを行うのに、全ての短ロッド部材についてその両端部の雌ねじ部への螺じ込み分量を調整する必要があるため、作業が極めて煩雑なものとなる。
【０００９】
本発明は、受け金具の位置決め作業が簡単な棒状建材の設置構造を提供することを目的とする。
【課題を解決するための手段】
【００１０】
請求項１の棒状建材の設置構造は、長手方向に貫通した貫通孔を有する中空棒状建材が方立に対し略水平に且つ上下多段に取り付けられた棒状建材の設置構造であって、該棒状建材の貫通孔内に金属棒状体が挿通されており、該金属棒状体の端部を支持する受け金具が前記方立に対し上下多段に配置されており、該金属棒状体の両端がそれぞれ該受け金具を介して方立に取り付けられている棒状建材の設置構造において、該方立は上下方向に延在する棒状のものであり、前記受け金具には、それぞれ、該方立が挿通される孔が設けられており、最下段の受け金具から最上段の受け金具まで連続して、該方立が各受け金具の該孔に挿通されており、各受け金具同士の間にはそれぞれ受け金具の位置決め用のスペーサが介在していることを特徴とするものである。
【００１１】
請求項２の棒状建材の設置構造は、長手方向に貫通した貫通孔を有する中空棒状建材が方立に対し上下方向に延在するように且つ左右多列に取り付けられた棒状建材の設置構造であって、該棒状建材の貫通孔内に金属棒状体が挿通されており、該金属棒状体の端部を支持する受け金具が前記方立に対し左右多列に配置されており、該金属棒状体の両端がそれぞれ該受け金具を介して方立に取り付けられている棒状建材の設置構造において、該方立は左右方向に延在する棒状のものであり、前記受け金具には、それぞれ、該方立が挿通される孔が設けられており、一端側の受け金具から他端側の受け金具まで連続して、該方立が各受け金具の該孔に挿通されており、各受け金具同士の間にはそれぞれ受け金具の位置決め用のスペーサが介在していることを特徴とするものである。
【発明の効果】
【００１２】
請求項１の棒状建材の設置構造にあっては、方立が最下段の受け金具から最上段の受け金具までを連続して貫通するように各受け金具の孔に挿通されており、各受け金具同士の間隔は、各受け金具同士の間に配置されたスペーサによって一義的に決定される。このため、受け金具の位置決めに際しては、各方立の設置位置（高さ）を調整して隣り合う受け金具同士の高さ揃えをするだけでよく、作業が簡単である。
【００１３】
請求項１では、上下方向に延在する方立に対して棒状建材が略水平に延在するように取り付けられているが、請求項２では、方立が左右方向に延在するよう配置され、該方立に対し、棒状建材が上下方向に延在するように取り付けられる。この請求項２の棒状建材の設置構造にあっても、方立が一端側の受け金具から他端側の受け金具までを連続して貫通するように各受け金具の孔に挿通されており、各受け金具同士の間隔は、各受け金具同士の間に配置されたスペーサによって一義的に決定されるため、請求項１の構造と同様、各方立の設置位置を調整するだけで、共通の金属棒状体を支持する受け金具同士の位置揃えをすることができる。
【００１４】
本発明では、スペーサは筒形であり、各スペーサに方立が挿通されている構成であることが好ましい。このように構成することにより、各受け金具を挟んでその両側に並んだスペーサが、あたかも各受け金具を貫通した１本の棒状部材であるかのような外観を呈するため、見栄えが良い。
【発明を実施するための最良の形態】
【００１５】
以下、図面を参照して本発明の一形態について説明する。
【００１６】
第１図は本発明の一形態に係る棒状建材の設置構造の全体斜視図、第２図は棒状建材支持部分の正面図、第３図は第２図のIII−III線に沿う断面図、第４図は第２図のIV−IV線に沿う断面図、第５図は第３図のＶ−Ｖ線に沿う断面図、第６図は棒状建材設置構造の分解斜視図であり、第７図は棒状建材取り付け途中時を示す分解斜視図である。
【００１７】
第１図の通り、建物２の窓開口３の外側に沿って方立としての棒状の支柱４が立設され、この支柱４に棒状建材１が水平に且つ上下多段に取り付けられている。支柱４は所定間隔をおいて複数本立設されており、各棒状建材１は、その両端がそれぞれ該支柱４に支持されている。
【００１８】
該支柱４は、第６，７図に示すように、下端部にブラケット４ａを有しており、このブラケット４ａがボルト（図示略）等によって建物２の壁面に固定されている。符号４ｂは、該ブラケット４ａに穿設されたボルト挿通用の孔を示している。また、支柱４の上端部には、該支柱４と同軸状に雄ねじ部４ｃが設けられており、支柱４の上端部は、この雄ねじ部４ｃに螺着された固定金具（図示略）を介して建物２の壁面に固定されている。
【００１９】
この支柱４の下端部付近には、該支柱４の側周面から放射状に張り出した鍔状部４ｄが形成されている。
【００２０】
棒状建材１は、第４，５図に示すように、該棒状建材１を長手方向に貫通する貫通孔５Ａ，５Ｂを有した中空セラミック製の棒状建材である。この棒状建材１の長手方向と交叉方向の断面形状は、建物２の壁面の出入り方向に長い略長方形状となっており、該貫通孔５Ａ，５Ｂは、この断面内において、該建物２の出入り方向に位置を異ならせて設けられている。
【００２１】
第４図に示される通り、この形態では、該貫通孔５Ａ，５Ｂ内に金属棒状体としてフラットバー６が挿通され、各フラットバー６の両端の垂下片７が受け金具８を介して支柱４に支持されている。なお、フラットバー６の長手方向の途中部分の上面に接着剤（図示略）が塗工されており、この接着剤により、各フラットバー６が各貫通孔５Ａ，５Ｂの天井面部分に接着されている。垂下片７は鉛直下方に垂設されている。この垂下片７には、ゴム板などよりなる緩衝材（図示略）が貼着されている。
【００２２】
第５図に示すように、該受け金具８は、水平片９と、該水平片９から起立する１対の起立片１０とを有したＵ字形状のものである。該水平片９の中央に円形孔１１が設けられており、この円形孔１１に支柱４が挿通されている。この円形孔１１を挟んで両側にそれぞれ長孔１２が設けられている。この長孔１２には、後述のボルト１８が挿通される。
【００２３】
第５図に示すように、該起立片１０の内側面に前記垂下片７が沿うようにフラットバー６が受け金具８に係止され、該垂下片７と起立片１０との間に前記緩衝材が介在される。垂下片７の下端は受け金具８の水平片９に当接する。
【００２４】
受け金具８に係止されたフラットバー６が上方から押え金具１３によって押え付けられる。この押え金具１３は、第６，７図に示すように、水平片１４と、該水平片１４から垂下する１対の垂下片１５とを有した逆Ｕ字形状のものである。この水平片１４にはＵ字形の切欠部１６が設けられており、この切欠部１６に支柱４が挿通される。切欠部１６の両側にボルト挿通用の孔１７が設けられている。
【００２５】
この押え金具１３は、垂下片１５，１５が受け金具８の起立片１０の無い辺に沿うように受け金具８に上方から係合される。押え金具１３は、第５図の通り、水平片１４が両サイドのフラットバー６，６の上面にそれぞれ当接するように配置される。この押え金具１３のボルト挿通孔１７から受け金具８の長孔１２にボルト１８を通し、ナット１９を該ボルト１８に締め込むことにより、フラットバー６が固定されると共に、押え金具１３自身も受け金具８に固定される。この固定状態にあっては、押え金具１３の垂下片１５がフラットバー６の垂下片７の両サイドに配置されるため、フラットバー６が受け金具８から外れることは全くない。
【００２６】
各支柱４に対し、複数個の受け金具８が上下多段に配置されている。支柱４は、最下段の受け金具８から最上段の受け金具８までを連続して貫通するように、各受け金具８の前記円形孔１１に挿通されている。上下に並んだこれらの受け金具８，８同士の間には、それぞれ受け金具８の位置決め（高さ決め）用のスペーサ２０が配置されている。なお、この形態では、最下段の受け金具８の下側（最下段の受け金具８と支柱４の下端部付近に設けられた前記鍔状部４ｄとの間）と、最上段の受け金具８の上側（最上段の受け金具８と支柱４の上端側の雄ねじ部４ｃに螺着されたナット（図示略）又は前記固定金具との間）にも、それぞれスペーサ２０が配置されている。ただし、これら最下段の受け金具８の下側及び最上段の受け金具８の上側のスペーサ２０は省略されてもよい。
【００２７】
この形態では、該スペーサ２０は、第６，７図に示す通り、円筒形の鞘状部材であり、その内径（内孔の直径）は、支柱４の直径よりも大きく、且つ前記鍔状部４ｄの外周径よりも小さいものとなっている。また、このスペーサ２０の外径は、受け金具８の前記円形孔１１の直径よりも大きく、且つ、押え金具１３の前記切欠部１６のうち、支柱４の周囲を周回する部分の径よりも大きいものとなっている。このスペーサ２０の内孔に支柱４が挿通されている。
【００２８】
支柱４の上端側の雄ねじ部４ｃにナット（図示略）又は前記固定金具が螺着されることにより、これらの受け金具８及びスペーサ２０が支柱４の下端側の鍔状部４ｄと該ナット又は固定金具とによって挟圧され、積層状に一体化されて支柱４に保持される。
【００２９】
なお、この形態では、各スペーサ２０の外径は同一の大きさとなっており、これにより、第２図に示すように、各受け金具８を挟んで上下に並んだスペーサ２０，２０同士が、あたかも各受け金具８を貫通した１本の棒状部材であるかのような外観を呈している。また、この形態では、各スペーサ２０の長さ（筒軸線方向の大きさ）も同一となっており、これにより、各受け金具８は等間隔にて上下多段に配置されている。
【００３０】
以下に、この棒状建材設置構造の施工手順について説明する。
【００３１】
まず、各支柱４を建物２の壁面に沿って上下方向に延在するように配置し、ブラケット４ａを該壁面にボルト留めして各支柱４の下端側を固定する。この際、隣り合う支柱４，４の鍔状部４ｄ，４ｄ同士が同一高さに位置するように各支柱４の取り付け位置を調整する。ただし、各支柱４は、棒状建材１を各支柱４に取り付けてから壁面に固定するようにしてもよい。
【００３２】
また、予め、各棒状建材１の貫通孔５Ａ，５Ｂにそれぞれフラットバー６を挿通しておくと共に、各フラットバー６を各貫通孔５Ａ，５Ｂの天井面に接着しておく。
【００３３】
次に、各支柱４に対し、各々の上端側から最下段のスペーサ２０と受け金具８とを順に装着し、これらを支柱４に沿ってその下端側まで移動させる。そして、最下段のスペーサ２０を鍔状部４ｄに載せ、さらにこのスペーサ２０の上端面に最下段の受け金具８を載せる。それから、予め貫通孔５Ａ，５Ｂにそれぞれフラットバー６を挿通しておいた棒状建材１を隣り合う支柱４，４同士の間に略水平に配置し、各フラットバー６の両端をそれぞれ隣り合う最下段の受け金具８，８に掛ける。その後、これら最下段の受け金具８，８にそれぞれ押え金具１３を装着して各フラットバー６を固定する。
【００３４】
次いで、各支柱４に対し、各々の上端側から２段目のスペーサ２０及び受け金具８を装着してこれらを支柱４に沿ってその下端側に移動させ、この２段目のスペーサ２０を最下段の受け金具８に装着された押え金具１３の上面（水平片１４）に載せると共に、この２段目のスペーサ２０の上端面に２段目の受け金具８を載せる。それから、最下段の受け金具８に棒状建材１を取り付けたのと同様にして、２段目の受け金具８に２段目の棒状建材１を取り付ける。
【００３５】
さらに、この２段目と同様にして３段目以降を構築する。そして、最上段の棒状建材１を取り付けた後、各支柱４に対し、各々の上端側から最後のスペーサ２０を装着し、このスペーサ２０を、最上段の受け金具８に装着された押え金具１３の上面に載せる。それから、各支柱４の上端側の雄ねじ部４ｃにナットを締め込み、このナットと鍔状部４ｄとによって最上段から最下段までのスペーサ２０及び受け金具８（並びに押え金具１３）を挟圧するようにして、これらを一体的に支柱４に固定する。
【００３６】
その後、各支柱４の該雄ねじ部４ｃに固定金具を螺着し、次いでこの固定金具を建物２の壁面にボルト留めして各支柱４の上端部を該壁面に固定する。これにより、第１図の如き棒状建材設置構造が構築される。
【００３７】
なお、各支柱４に最後のスペーサ２０を装着した後、ナットを締め込むのを省略して直接固定金具を螺着し、この固定金具と鍔状部４ｄとによってスペーサ２０及び受け金具８を挟圧するようにしてもよい。
【００３８】
この棒状建材設置機構にあっては、支柱４に対し、スペーサ２０と受け金具８とを交互に装着して受け金具８，８同士の間にそれぞれスペーサ２０を介在させることにより、上下に並んだ受け金具８，８同士の間隔がそれぞれ該スペーサ２０によって一義的に決定される。このため、各受け金具８の位置決めをおこなうに際しては、各支柱４，４の取り付け高さを調節することにより、隣り合う受け金具８，８同士の高さ揃えをするだけでよく、作業が簡単である。
【００３９】
なお、上記の形態は本発明の一形態を示すものであり、本発明は上記の形態に限定されるものではない。
【００４０】
上記の形態では棒状建材を横引き状に設置しているが、本発明では、棒状建材を縦引き状に設置してもよい。この場合、方立は左右方向に延在するように設置される。なお、本発明では、方立を斜め方向に延設し、この方立に対して棒状建材を斜め引き状に設置してもよい。
【図面の簡単な説明】
【００４１】
【図１】本発明の一形態に係る棒状建材の設置構造の全体斜視図である。
【図２】棒状建材支持部分の正面図である。
【図３】図２のIII−III線に沿う断面図である。
【図４】図２のIV−IV線に沿う断面図である。
【図５】図３のＶ−Ｖ線断面図である。
【図６】棒状建材設置構造の分解斜視図である。
【図７】棒状建材取り付け途中時を示す分解斜視図である。
【符号の説明】
【００４２】
１  棒状建材
４  支柱
５Ａ，５Ｂ  貫通孔
６  フラットバー
７  垂下片
８  受け金具
１０  起立片
１３  押え金具
２０  スペーサ
【図１】
2005054413.tif 000003
【図２】
2005054413.tif 000004
【図３】
2005054413.tif 000005
【図４】
2005054413.tif 000006
【図５】
2005054413.tif 000007
【図６】
2005054413.tif 000008
【図７】
2005054413.tif 000009